(57)【要約】      （修正有）【課題】簡単な構成でありながら、搬送物をスムースに搬送することができるチェーンコンベアシステムを提供すること。【解決手段】搬送面を同一にする複数のチェーンコンベア装置１０が、搬送方向に直列に設置され、隣り合うチェーンコンベア装置１０の端部に跨って搬送面が重複すると共に搬送方向を同一にする補助チェーンコンベア２０を備え、複数のチェーンコンベア装置１０は、一対のレール１１と一対のチェーン１２とを備えると共に各チェーン１２は一対のスプロケット１３に巻き掛けられて駆動装置によって循環駆動走行されるように設けられ、補助チェーンコンベア２０は、一対の補助レール２１と一対の補助チェーン２２とによって構成され、各補助レール２１の両端部が補助チェーン２２の循環従動走行を案内するように丸められた形状に設けられている。【選択図】図１
2012046342.tif 000002
【特許請求の範囲】
【請求項１】
搬送物を一方向へ連続的に送ることができるように、搬送面を同一にする複数のチェーンコンベア装置が、搬送方向に直列に設置され、隣り合う前記チェーンコンベア装置の端部に跨って搬送面が重複すると共に搬送方向を同一にする補助チェーンコンベアを備えるチェーンコンベアシステムであって、
前記複数のチェーンコンベア装置は、一対のレールと一対のチェーンとを備えると共に各チェーンは一対のスプロケットに巻き掛けられて駆動装置によって循環駆動走行されるように設けられ、
前記補助チェーンコンベアは、一対の補助レールと一対の補助チェーンとを備え、各補助レールの両端部が補助チェーンの循環従動走行を案内するように丸められた形状に設けられていることを特徴とするチェーンコンベアシステム。
【請求項２】
前記補助チェーンコンベアの一対の補助レール及び一対の補助チェーンは、前記チェーンコンベア装置の一対のレール及び一対のチェーンの外側に配設されていることを特徴とする請求項１記載のチェーンコンベアシステム。
【請求項３】
前記複数のチェーンコンベア装置の少なくとも一つが、搬送方向に直交する方向へオフセット可能に設けられ、該オフセット可能なチェーンコンベア装置のオフセットされる側である一方の側面部に前記補助チェーンコンベアの一方の前記補助レール及び前記補助チェーンが配設され、前記補助チェーンコンベアの他方の前記補助レール及び前記補助チェーンが、前記オフセット可能なチェーンコンベア装置に隣り合うチェーンコンベア装置の他方の側面部に配設されていることを特徴とする請求項１又は２記載のチェーンコンベアシステム。
【発明の詳細な説明】
【技術分野】
【０００１】
この発明は、搬送物を一方向へ連続的に送ることができるように、搬送面を同一にする複数のチェーンコンベア装置が、搬送方向に直列に設置され、隣り合う前記チェーンコンベア装置の端部に跨って搬送面が重複すると共に搬送方向を同一にする補助チェーンコンベアを備えるチェーンコンベアシステムに関する。
【背景技術】
【０００２】
従来、搬送面を同一にする複数のチェーンコンベア装置が、搬送方向に直列に設置されたチェーンコンベアシステムの場合、隣り合うチェーンコンベア装置の搬送面間の隙間に搬送物が落ち込んでスムースに搬送することができないことがあった。
【０００３】
これに対しては、以下の構成からなるチェーンコンベアシステムが提案されている。
前後方向に連続するように複数のチェーンコンベアを連設して構成されている。前後に隣り合うチェーンコンベアの連結部には、両チェーンコンベアの搬送面と搬送方向において重複する搬送面を有し、チェーンコンベアに連動する補助チェーンコンベアが設けられている。チェーンコンベア及び補助チェーンコンベアは、共通の駆動ユニット及び従動ユニットを側フレームの両端部に設けたコンベアユニットより構成されている（特許文献１参照）。
【先行技術文献】
【特許文献】
【０００４】
【特許文献１】特開平０９−１１０１２６号公報（第１頁）
【発明の概要】
【発明が解決しようとする課題】
【０００５】
チェーンコンベアシステムに関して解決しようとする問題点は、従来のチェーンコンベアシステムでは、チェーンコンベアと補助チェーンコンベアとについて、共通の駆動ユニット及び従動ユニットを備えるものであり、構成が複雑化している点にある。
そこで、本発明の目的は、簡単な構成でありながら、搬送物をスムースに搬送することができるチェーンコンベアシステムを提供することにある。
【課題を解決するための手段】
【０００６】
本発明は、上記目的を達成するために次の構成を備える。
本発明にかかるチェーンコンベアシステムの一形態によれば、搬送物を一方向へ連続的に送ることができるように、搬送面を同一にする複数のチェーンコンベア装置が、搬送方向に直列に設置され、隣り合う前記チェーンコンベア装置の端部に跨って搬送面が重複すると共に搬送方向を同一にする補助チェーンコンベアを備えるチェーンコンベアシステムであって、前記複数のチェーンコンベア装置は、一対のレールと一対のチェーンとを備えると共に各チェーンは一対のスプロケットに巻き掛けられて駆動装置によって循環駆動走行されるように設けられ、前記補助チェーンコンベアは、一対の補助レールと一対の補助チェーンとを備え、各補助レールの両端部が補助チェーンの循環従動走行を案内するように丸められた形状に設けられている。
【０００７】
また、本発明にかかるチェーンコンベアシステムの一形態によれば、前記補助チェーンコンベアの一対の補助レール及び一対の補助チェーンは、前記チェーンコンベア装置の一対のレール及び一対のチェーンの外側に配設されていることを特徴とすることができる。
【０００８】
また、本発明にかかるチェーンコンベアシステムの一形態によれば、前記複数のチェーンコンベア装置の少なくとも一つが、搬送方向に直交する方向へオフセット可能に設けられ、該オフセット可能なチェーンコンベア装置のオフセットされる側である一方の側面部に前記補助チェーンコンベアの一方の前記補助レール及び前記補助チェーンが配設され、前記補助チェーンコンベアの他方の前記補助レール及び前記補助チェーンが、前記オフセット可能なチェーンコンベア装置に隣り合うチェーンコンベア装置の他方の側面部に配設されていることを特徴とすることができる。
【発明の効果】
【０００９】
本発明のチェーンコンベアシステムによれば、簡単な構成でありながら、搬送物をスムースに搬送することができるという特別有利な効果を奏する。
【図面の簡単な説明】
【００１０】
【図１】本発明に係るチェーンコンベアシステムの形態例を示す平面図である。
【図２】図１の形態例の正面図である。
【図３】図１の形態例に係る補助チェーンコンベアを示す側面図である。
【図４】図１の形態例の作動状態を示す平面図である。
【図５】図１の形態例の側面図である。
【発明を実施するための形態】
【００１１】
以下、本発明のチェーンコンベアシステムに係る形態例を、添付図面（図１〜５）に基づいて詳細に説明する。
このチェーンコンベアシステムは、搬送物５０を一方向へ連続的に送ることができるように、搬送面を同一にする複数のチェーンコンベア装置１０が、搬送方向に直列に設置され、隣り合うチェーンコンベア装置１０の端部に跨って搬送面が重複すると共に搬送方向を同一にする補助チェーンコンベア２０を備えるものである。
【００１２】
複数のチェーンコンベア装置１０は、一対のレール１１と一対のチェーン１２とを備えると共に各チェーン１２は一対のスプロケット１３に巻き掛けられて駆動装置３０によって循環駆動走行されるように設けられている。なお、本形態例の駆動装置３０は、駆動モータ３１、スプロケット１３が両端に固定された駆動用シャフト３２、駆動用チェーン３３などによって構成されている。
本形態例のレール１１は、角パイプ状の材料によって設けられたフレーム１５の上面に固定されている。チェーン１２は、そのレール１１上とフレーム１５の中空内部を通って循環するように配されている。
【００１３】
補助チェーンコンベア２０は、一対の補助レール２１と一対の補助チェーン２２とを備え、各補助レール２１の両端部２１ａが補助チェーン２２の循環従動走行を案内するように丸められた形状に設けられている。この補助レール２１の両端部２１ａの形状は、図３に示すような形態に限定されず、補助チェーン２２がスムースに走行できる程度に丸められた形状であればよい。
【００１４】
本形態例の補助レール２１は、角パイプ状の材料によって設けられた補助フレーム２５の上面に固定されている。補助チェーン２２は、その補助レール２１上と補助フレーム２５の中空内部を通って循環するように配されている。
この補助チェーンコンベア２０によれば、スプロケットや駆動装置のない簡単な構成でありながら、搬送物５０をスムースに搬送することができるように補助できる。特に、チェーンコンベア装置１０の搬送面に接触する部分５１（図２参照）が小さく、その接触する部分５１の間隔が開いている搬送物５０について有効である。
【００１５】
また、本形態例では、補助チェーンコンベア２０の一対の補助レール２１及び一対の補助チェーン２２は、チェーンコンベア装置１０の一対のレール１１及び一対のチェーン１２の外側に配設されている。
これによれば、搬送物５０をスムースに移送できるチェーンコンベアシステムとなるように、補助チェーンコンベア２０を簡単な構成で適切に配設することができ、製造コストを低減できる。
【００１６】
さらに、本形態例では、複数のチェーンコンベア装置１０の少なくとも一つが、搬送方向に直交する方向へオフセット可能に設けられ、そのオフセット可能なチェーンコンベア装置１０のオフセットされる側である一方の側面部１５ａに補助チェーンコンベア２０の一方の補助レール２１及び補助チェーン２２が配設されている。
【００１７】
１６はベースフレームであり、このベースフレーム１６上にオフセット可能なチェーンコンベア装置１０が載置されている。図５に示すように、ベースフレーム１６上に固定されたガイドシャフト１７に、チェーンコンベア装置１０の下側に固定された移動体１８に案内されて、チェーンコンベア装置１０が搬送方向に直交する方向へシリンダ１９（図１及び図４参照）によってオフセット可能になっている。
【００１８】
また、補助チェーンコンベア２０の他方の補助レール２１及び補助チェーン２２が、オフセット可能なチェーンコンベア装置１０に隣り合うチェーンコンベア装置１０の他方の側面部１５ｂに配設されている。
これによれば、補助チェーンコンベア２０を備えつつ、隣り合うチェーンコンベア装置１０の一方が他方に対して搬送方向に直交する方向へ移動できる構造を合理的に構成することができ、様々な搬送仕様に対する適応性を向上できる。
【００１９】
以上の構成を備えるチェーンコンベアシステムによれば、例えば、キノコの栽培瓶が収納された多数のコンテナを、搬送物５０の一例である移動収納棚５０によって搬送するシステムに応用できる。また、複数のチェーンコンベア装置１０の少なくとも一つが、搬送方向に直交する方向へオフセット可能に設けられることで、移動収納棚５０を図４に示すように棚差し機４０側へ移動させ、その棚差し機４０によって移動収納棚５０を保持した状態で前記コンテナの差し替えを行うシステムを適切に構成できる。
【００２０】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２１】
１０  チェーンコンベア装置
１１  レール
１２  チェーン
１３  スプロケット
１５  フレーム
１５ａ  一方の側面部
１５ｂ  他方の側面部
２０  補助チェーンコンベア
２１  補助レール
２１ａ  端部
２２  補助チェーン
２５  補助フレーム
３０  駆動装置
３１  駆動モータ
３２  駆動用シャフト
３３  駆動用チェーン
４０  棚差し装置
５０  搬送物（移動収納棚）
【図１】
2012046342.tif 000003
【図２】
2012046342.tif 000004
【図３】
2012046342.tif 000005
【図４】
2012046342.tif 000006
【図５】
2012046342.tif 000007